Podtech/llm-jp-corpus-v4-ja_patent huggingface dataset:
(57)【要約】      （修正有）【課題】電気設備の技術基準、第２２４条第三項の解釈に適合する、商用電源を利用する電気さくの提供。【解決手段】電気さく器に充電切替装置を接続し、充電切替装置に二次電池を接続する。充電切替装置は変圧器に接続され、変圧器は商用電源に接続する。電気さく器が二次電池に接続されていない時に、二次電池を商用電源で充電する。二次電池は、電気さく器の作動する時間が夜のみの場合は１個とし、連続で２４時間使用する場合は２個接続し、交互に電気さく器に接続されるようにする。充電切替装置を、電気さく器と商用電源の間に介在させ、両者が直接接続されることがないので、電気設備の技術基準の対象外となるため、柵線の高さが、対象動物に一番効果的な高さで施工できるようになる。【選択図】図２
2006174649.tif 000002
【特許請求の範囲】
【請求項１】
電気さく器が接続されていない時に、二次電池を商用電源で充電する装置
【発明の詳細な説明】
【技術分野】
【０００１】
本発明は、二次電池の充電方法に関する。詳しくは電気さく器と接続されていない時に、電気さく器の電源としている二次電池を、商用電源を用い充電する物である。
【背景技術】
【０００２】
電気設備の技術基準、第２２４条第三項の解釈によると商用電源を利用する電気さくは、電圧三十ボルト未満の電気的設備であって、三十ボルト以上の電気的設備と電気的に接続されていないものとなっている。また、基準を満たした電気さくであつても、人が容易に立ち入らない場所に施設すること、柵線は引っぱり強さ１．３８ｋＮ以上のもの又は、直径２ｍｍ以上の硬銅線であること、電線とこれを支持する柱との距離間隔は２．５ｃｍ以上であること。等の規制があり、現実には施工不可能と解釈される。
【０００３】
この法律が出来た当時は、電気さくの施工場所は人里離れた山奥であったが、現在は住宅の側まで、猪や鹿、猿、狸が出没している現状である。
【発明の開示】
【発明が解決しようとする課題】
【０００４】
上記の文章からも分かる様に、商用電源から直接電気さく器を作動させてはならない。その為切り離された電気さく器の電源（二次電池）へ商用電源を用いて充電した。充電された（二次電池）を商用電源から切り離し電気さくの電源として利用する回路である。
【０００５】
電気さく器に接続される商用電源を直接使用出来ない為、電気さく器に接続される商用電源を直接使用せず、切替方式により充電し充電された二次電池を商用電源から切り離し電気さく器を使用する。
【課題を解決するための手段】
【０００６】
電気さく器に充電切替装置を接続し、充電切替装置に二次電池を接続する。充電切替装置は変圧器に接続され、変圧器は商用電源に接続する。
充電切替装置等は、電気さく器内部に内蔵される事もある。
【０００７】
二次電池は電気さく器の作動する時間が夜のみの場合は、昼間充電された二次電池１個で行うが、２４時間連続で使用する場合は、２個接続し交互に電気さく器に接続される物とする。
【０００８】
二次電池を充電している時は、電気さく器側の回路は切替により完全に切断され商用電源とは接続していない。一方充電回路が切替回路にて切断されている時は、二次電池と電気さく器は接続され、これもまた商用電源とは接続していない。充電回路が故障しても商用電源と電気さく器が直接接続されることは無い。
【０００９】
接続を切替る方法は、光の明暗で切替る回路、二次電池電圧の高低で切替る回路、マイクロコンピュータで切替る回路、タイマーで切替る回路などがある。
【発明の効果】
【００１０】
電気さくにおいて、商用電源を充電切替装置に接続して利用する事で、安定した電気さくへの電源供給が出来るようになった。
【００１１】
電源の二次電池を定期的に充電する手間がなくなった。
【００１２】
現在までの一次電池の利用の方法と比べると、二次電池を使用する事により、将来に渡って一次電池廃棄電池の数を少なくできる。
【００１３】
商用電源を利用した電気さくの施工基準が対象外となるため、柵線の高さが対象動物に一番効果的な高さで施工できるようになった。
【００１４】
柵線、ガイシ等も同様で電気さくとして効果のある部材であれば基準以外でも利用出来るようになった。
【００１５】
電気柵の電源管理が容易になり、野生動物の侵入を効果的に防ぐ事により、多くの作物を収穫出来るようになった事で、農家の生産意欲も出てくる。
【発明を実施するための最良の形態】
【００１６】
電気さく器に充電切替装置を接続し、充電切替装置に二次電池を接続する。充電切替装置は変圧器に接続され、変圧器は商用電源に接続する。
【００１７】
充電切替装置等は、電気さく器内部に内蔵される事もある。
【００１８】
二次電池は電気さく器の作動する時間が夜のみの場合は、昼間充電された二次電池１個で行うが、２４時間連続で使用する場合は、２個接続し交互に電気さく器に接続される物とする。
【００１９】
二次電池を充電している時は、電気さく器側の回路は切替により完全に切断され商用電源とは接続していない。一方充電回路が切替回路にて切断されている時は、二次電池と電気さく器は接続され、これもまた商用電源とは接続していない。。
【００２０】
接続を切替る方法は、光の明暗で切替る回路、二次電池電圧の高低で切替る回路、マイクロコンピュータで切替る回路、タイマーで切替る回路などがある。
【図面の簡単な説明】
【００２１】
【図１】本発明の実施形態を示す電気さく器と接続機器の外観図
【図２】充電切替回路図リレー部分
【図３】充電切替回路図光センサー部分
【符号の説明】
【００２２】
１  逆流防止部
２  過電流防止部
３  充電回路二次電池切替部
４  電気さく器二次電池切替部
５  二次電池接続端子部
６  明るさ感知部
７  リレー駆動部
８  表示部
９  リレーソレノイド部  
【図１】
2006174649.tif 000003
【図２】
2006174649.tif 000004
【図３】
2006174649.tif 000005
(57)【要約】      （修正有）【課題】葉にんにくを生産するにあたり、茎葉が硬すぎず香り豊かな緑色の商品をより効率よく、安定して周年生産するための生産技術の確立が、望まれている。【解決手段】にんにくのりん片の皮をむいて、発泡スチロールの育苗トレイ上で、水槽に浮かせ水耕栽培する。この場合は温室の遮光が大切で、夏季90％、冬季60％程度で管理し、夏季は十分な換気をし、冬季は夜温を10℃以上を維持する。水槽の水置換が重要で、特に夏季は27℃以下好ましくは25℃以下に保つことが重要である。【選択図】なし【特許請求の範囲】
【請求項１】
にんにくりん片を、温室内において発泡スチロール製育苗トレイ上で水槽に浮かべて水耕栽培し、40％以上の遮光ネット下10〜40℃で30〜40cmの植物体へ生育させた緑色の栄養豊富で風味豊かな葉にんにく野菜
【請求項２】
にんにくりん片を、温室内で水耕栽培水耕栽培するにあたり、水槽を2段以上の架構式で、40％以上の遮光ネット下10〜40℃で栽培することにより適度に柔らかく緑色の葉にんにく野菜を得る栽培方法
【発明の詳細な説明】
【技術分野】
【０００１】
本発明は、日常的ににんにくを摂取しやすくするため、水耕栽培でにんにくを野菜化すること、およびその栽培方法に係わるものである。
【背景技術】
【０００２】
にんにくは、りん片を調理して摂取されることが多く、野菜としては11月〜3月にかけて、土耕栽培によって一時的に利用されるだけで、それも素材が硬く香味も少なく一般的にあまり普及されていなかった。本発明は水耕栽培によって周年生産でき、しかも適度にやわらかく香り・風味に優れた特長を持つ、緑色の葉にんにく野菜を提供できる栽培方法である。
【０００３】
にんにくの茎葉は、日射によって硬くなるので季節によってその遮光率を40〜90％に変更し、温度条件も併せて調節することによって、安定したやわらかさおよび風味をもった野菜に仕上げることができる。
栽培水槽はその施設の効率を考え、2〜3段の多段方式での栽培が好ましく無農薬・無肥料で約2週間の栽培によって30〜40cmまで生育するので非常に効率がよい。
【０００４】
【特許文献１】特開平  06−233625  黄白色のニンニク茎葉野菜ならびにその栽培方法
【特許文献２】特開平  09−215447上部は黄色で下方は白色の長いニンニク茎葉野菜
【発明の開示】
【発明が解決しようとする課題】
【０００５】
上記の公報は暗黒条件で、にんにくの茎葉を黄白色または白色で非常にやわらかい、いわゆるもやし状の食材を得ることが記載されているが、本発明では緑色の瑞々しく、若干歯ごたえがあり香味豊かなおいしいにんにく野菜を周年提供するところにある。この葉にんにくは茎葉部だけではなく、毛根部もりん片部分も全部活用でき、夫々について個性的な食材となる。
【課題を解決するための手段】
【０００６】
栽培用の水槽はポリプロピレン樹脂製の板を用い清潔度を維持し、水は地下水をくみ上げ濾過して使用する。2段水槽での栽培は下段槽で初期の7日間栽培し、上段槽で最後の7日間栽培する。茎葉の緑化度は夏季遮光率90％で、冬季は遮光率60％を基準とし1〜2段の遮光ネットで適宜調節する。栽培用のトレイは、水槽で浮上しているので支持する必要はない。
【発明の効果】
【０００７】
季節や気温の変化に対応し遮光率を調節することと、積極的に水槽の水を置換することによって、にんにくの茎葉の生育が正常にすすみ、製品の歩留まりも9５％以上を維持できる。また冬季の夜温を10℃に維持し、夏季の施設内の換気を積極的にすることで瑞々しい栄養豊富な葉にんにく野菜を周年安定生産することが可能になった。
【発明を実施するための最良の形態】
【０００８】
原材料のにんにくは、粒ぞろいのりん片を選び、傷をつけないように皮をむき
栽培に使用する。遮光ネットの調節は、りん片が日光によって着色しないように、季節によってこまめに調節する。夏季は温室内の積極的な換気が必要で更に、水温の管理が重要で27℃好ましくは25℃以下に維持することが大事である。栽培状況は注意深く観察し、異常を感じたらすぐ処置をすることが水耕栽培のコツである。栽培終了後は、水槽および育苗トレイの十分な水洗浄と殺菌処理を実施し次回の使用にあてる。
(57)【要約】  【課題】    抗生物質その他の薬剤等の使用による残留薬物の恐れや、薬剤耐性の生起の恐れの無い安全な飼料添加物を用いて家畜・家禽の排泄物量、排泄物水分量を低減する家畜・家禽用飼料を提供することを課題とする。【解決手段】  ストレスを受けていない正常状態の家畜・家禽に対して、ダッタンソバを含有する飼料を給与することによって、家畜・家禽の排泄物量、排泄物水分量を顕著に低減出来る。糞中の水分含量の低減は、臭気や衛生上の問題についても有利な効果をもたらし、更には、このような排泄物は肥料化に際しても低公害の効果がある。  【添付図】    なし【特許請求の範囲】
【請求項１】
ストレスを受けていない正常状態の家畜・家禽であって、ダッタンソバを含有する家畜・家禽の排泄物量及び又は排泄物水分量を低減する家畜・家禽用飼料。
【請求項２】
家畜・家禽が鶏である請求項１に記載の家畜・家禽用飼料。
【請求項３】
ダッタンソバ含有量が飼料重量当り０．００１〜７．５％である請求項１又は請求項２に記載の家畜・家禽の排泄物量及び又は排泄物水分量を低減する家畜・家禽用飼料。
【請求項４】
ダッタンソバ含有量が飼料重量当り０．０１〜２．５％である請求項１〜３の何れかに記載の鶏の排泄物量、排泄物水分量を低減する家畜・家禽用飼料。
【発明の詳細な説明】
【技術分野】
【０００１】
この発明は、家畜・家禽用飼料に関する。さらに詳しくは、家畜・家禽の糞排泄量及び排泄物水分量を低減する家畜・家禽用飼料に関する。
【背景技術】
【０００２】
従来、養畜、養家禽業者にとって、家畜、家禽が排泄する糞尿はその再生、処理技術が充分でなく、そのため臭い、を含めて大きな公害問題を引き起こしている。このような背景を踏まえて、家畜・家禽農場においても排泄物を適正に処理、管理することが法的にも求められている。そこで、家畜・家禽農場における鶏糞排泄量を少なくする試みが各種提案されている。その一つは、単純に給餌量を減らす、制限給餌方法（養鶏の友、２００２年２月号４６頁）であり、採卵鶏に乳酸菌を投与して飼料養分の消化・吸収性を向上させ、糞排泄量を低減する試み（養鶏の友、２００３年２月号６４頁）や、炭水化物分解酵素を飼料に添加して食物繊維の消化・吸収を向上させる試み（養鶏の友、２００３年６月号６４頁）など、各種の方法が試みられているが、何れも未だその効果は充分ではない。
又、多頭・多数羽飼育環境下に発生する家畜・家禽のストレス或いはウイルス又は病原性に由来する疾病の予防・治療に有効で、その病原性細菌等が原因となる炎症作用を軽減する方法としてダッタンソバ酵素処理物を家畜・家禽に給与することが知られている（特開２００１−２９２７０６公報）。
【特許文献１】特開２００１−２９２７０６公報
【非特許文献１】養鶏の友、２００２年２月号４６頁
【非特許文献２】養鶏の友、２００３年２月号６４頁
【非特許文献３】養鶏の友、２００３年６月号６４頁
【発明の開示】
【発明が解決しようとする課題】
【０００３】
本発明の目的は、抗生物質その他の薬剤等の使用による残留薬物の恐れや、薬剤耐性の生起の恐れの無い、人及びその他の動物にとって安全、無公害の飼料添加物を用いて家畜・家禽の排泄物量、排泄物水分量を低減する家畜・家禽用飼料を提供することを課題とする。
【課題を解決するための手段】
【０００４】
本発明者らは、本課題の解決について鋭意研究の結果、ストレスを受けていない正常状態の家畜・家禽に対して、ダッタンソバを含有する飼料を給与することによって、家畜・家禽の排泄物量、排泄物水分量を顕著に低減出来ることを見出し、この知見に基づいて本発明を完成した。即ち、本発明は、ストレスを受けていない正常状態の家畜・家禽であって、ダッタンソバを含有する鶏の排泄物量、排泄物水分量を低減する家畜・家禽用飼料である。
【発明の効果】
【０００５】
人及びその他の動物に対して極めて安全な飼料を給して、家畜・家禽の排泄物量、排泄物水分量を顕著に低減出来る。又、糞中の水分含量の低減は、臭気や衛生上の問題についても有利な効果をもたらし、更には、このような排泄物は肥料化に際しても低公害の効果がある。
【発明を実施するための最良の形態】
【０００６】
本発明の方法を実施するに当たっては、特にストレス等の異常状態にない、正常状態の家畜・家禽に、通常の飼料にダッタンソバを添加した飼料を給与する。ダッタンソバの使用量は、通常飼料に対し０．００１〜７．５重量％、更に好ましくは、０．０１〜２．５％混和して給与する。或いはダッタンソバを通常飼料に添加されるビタミン混合物、ビタミン・ミネラル混合物等と共に混和した、飼料添加物のような形で配合してもよい。
本発明においては、牛、豚、山羊、羊等の家畜、鶏、アヒル等の家禽に広く適用可能であり、なかでも、鶏に対しては特に本発明の効果が優れている。
【０００７】
使用するダッタンソバは、日本国内産、中国産、雲南地方産等何れであってもよい。このとき、通常のソバを含んでいても良い。又、給与する形態は、乾燥したダッタンソバの実そのままでも良く、荒引きした顆粒状であっても良い。
【実施例】
【０００８】
以下に本発明の実施例を詳しく説明するが、本発明はこれらに限定されるものではない。
実施例1
８日齢雄ブロイラーを４５ｃｍ×８０ｃｍのケージに２羽宛収容、１区１０羽宛とした。ダッタンソバ給与区はトウモロコシおよび大豆粕を主体とする表１に示した基礎飼料に１．０％量になるようダッタンソバ粉(株式会社イナサワ商店)を添加した飼料を給与して、１０日間飼育した。対照区は基礎飼料に１．０％量になるようトウモロコシを添加した飼料を給与した。
【０００９】
【表１】
2006174790.tif 000002
【００１０】
注：※印は、ジャーナル・オブ・ニュートリション、１０８巻、７３９−７４８ページ、１９７８年（Ｊ．Ｎｕｔｒ．１０８，７３９−７４８、１９７８）に記載のビタミン組成及びミネラル組成に拠った。
【００１１】
飼育期間中、飼育成績としては10日間の増体量及び飼料摂取量を、排泄物に関しては後半の4日間に糞重量及び糞中水分含量を、並びに飲水摂取量を毎日測定した。飼育成績を表２に、排泄物量、その水分量及び飲水量を表３に示した。
尚、各表において統計処理は、SASハッケージを用いた。２元配置の分散分析を行なった後、t-テスト又はダンカンの多重検定で平均値間の比較を行なった。
【００１２】
【表２】
2006174790.tif 000003
【００１３】
【表３】
2006174790.tif 000004
【００１４】
表２に示した如く、飼育成績、飼料効率には格別変化は認められなかったが、表３に示した如く、排泄物量及び排泄物水分含量は、ダッタンソバ給与区において対照区に比し大幅に低減し、有意な差が認められた。
(57)【要約】      （修正有）【課題】台所の生ゴミ処理、或いはペット排便をポリエチレン（ビニールでもよい）を加工して素早く包み込み簡単に処理する装置の提供。【解決手段】正方形のポリエチレン１の４角の２〜３センチ内側の縁にそって縫い目穴２を空ける。向う同じ２角だけ少し穴を空けずに残す。犬の排泄を包む、小鳥籠や、ペット排便敷物、生ゴミ（中央部分中心に数個の穴を空けた物）収集入れの底に敷く。処理する時素早く包み込みポリエチレン１に４角を束ねどちらか片側縁だけ引っ張ると縫い目穴２から切れて紐になりその紐を２〜３回巻絞めて結ぶ。使用する物に伴って大きさ色々、紐の巾も色々、物によって両方の紐を使用する紐をより強くするため縫い目の角にあたる部分を丸くしておく。【選択図】図１
2006174821.tif 000002
【特許請求の範囲】
【請求項１】
台所の生ゴミ処理、ペット排便をポリエチレン（ビニール）１を使って素早く包み込み簡単に、処理出来る。
（イ）  正方形のポリエチレン１の４角の２〜３センチ内側の縁にそって、縫い目穴２を空ける、向う同じ２角だけ少し穴を空けずに残す。
（ロ）  台所の生ゴミ処理に使う物はポリエチレン１の中央部分中心に数個の穴をあけた物を使う。
（ハ）  処理する時素早く包み込みポリエチレン１の４角を束ねどちらか、片側縁だけ引っ張ると縫い目穴２から切れて紐になりその紐を２〜３回巻しめて結び処理する方法。
【発明の詳細な説明】
【発明の詳細な説明】
【産業上の利用分野】
【０００１】    この発明は、犬の散歩の時、小鳥籠や、ペット排便場所に敷物、生ゴミ収集入れの底に敷く、季節野菜、果実の害虫避けに被せる物の処分方法です。
【背景技術】
【０００２】    従来のやり方は、小スコップで、すくい取るか、紙で包んで袋に入れるので大変にわずらわしく、思います。
【発明が解決しようとする課題】
【０００３】    したがって、生ゴミはヌメリが出るので処理しにくく、排便処理は市販物は高価で処理しにくいで困る。そこで本発明は、大好評、間違えなしです。
【課題を解決するための手段】
【０００４】いま、その構成を説明すると、
（イ）  生ゴミは収集入れの底にポリエチレン１を敷く。
（ロ）  処分する時、ポリエチレン１の４角を束ねて引き上げとちらか片側縁だけ引っ張ると縫い目穴２から切れて紐になりその紐で２〜３回巻き縛る
（ハ）  ペットの排便する場所に敷く、そのトに古紙など被せておく。
（ニ）  処理する時、素早く包み込んだ、後（ロ）と同じ。
（ホ）  犬が路面に排泄した時、フンの上にテシュウペーパー１枚被せてその上にポリエチレン１を被せて素早く包み込んだ、後（ロ）と同じ。
【作用】
【０００５】    この発明の作用は、正方形のポリエチレン（ビニールでも結構）１枚に４角の２〜３センチ内側の縁にそって縫い目穴２を空ける、向う同じ２角だけ少し穴を空けずに残す。処理する時素早く包み込みポリエチレン１の４角を束ねどちらか片側縁だけ引っ張ると縫い目穴２から切れて紐になりその紐を２〜３回巻くと同時に締めて結ぶと清潔で快適です。
【実施例】
【０００６】    このペット快適・奥様喜ぶを使用すれば、全てが良く皆様が、喜ぶの間違えなし。ペット排泄処理から台所生ゴミ処理、野菜果実の害虫避けまで使用可能。
【発明の効果】
【０００７】    このペット快適・奥様喜ぶを使用すれば、安心、清潔、簡単に処理出来て、全てによろしい。
【図面の簡単な説明】
【図１】    本発明の平面図
【図２】    本発明の正面図
【符号の説明】
１はポリエチレン
２は縫い目穴
【図１】
2006174821.tif 000003
【図２】
2006174821.tif 000004
(57)【要約】【課題】野菜・果物由来の色素を原料として、安心して食することのできる着色料を提供する。【解決手段】天然野菜あるいは天然果物の絞り汁から抽出した色素に可食性の加粘材（アラビアゴム、タマリン、でんぷん、増粘材等）および色素の安定材（塩、砂糖、ミョウバン、重曹等）を加えることで食品や紙への定着性を良くした、喫食できることを特徴とした着色料に関するものである。【選択図】図１
2006174816.tif 000002
【特許請求の範囲】
【請求項１】
天然野菜あるいは天然果物の絞り汁から抽出した色素に可食性の加粘材および色素の安定材を加えることで紙や食品への定着性を良くした、喫食できることを特徴とした着色料。
【発明の詳細な説明】
【技術分野】
【０００１】  本発明は、天然野菜あるいは天然果物の絞り汁から抽出した色素に可食性の加粘材（アラビアゴム、タマリン、でんぷん、増粘材等）および色素の安定材（塩、砂糖、ミョウバン、重曹等）を加えることで食品や紙への定着性を良くした、喫食できることを特徴とした着色料に関するものである。
【技術背景】
【０００２】  従来、食品には人工着色料が多く使われている。絵画用のえのぐにも人工材料が多く使われている。
日本国民は、平均的に野菜摂取量が不足している。
野菜や果物の形状や生産量は気候などの影響を受けるため完全にコントロールすることができない。
【発明の開示】
【発明が解決しようとする課題】
【０００３】  そのために、次のような問題点があった。
（イ）食品の安全性を心配するため、着色された食品は身体に悪いというイメージがあり、消費者に抵抗感があった。
（ロ）幼児等が絵画時にえのぐを舐めたり飲んだりしないように注意が必要であった。
（ハ）幼時や子供の野菜や果物への関心が低く、野菜嫌いの割合が増加傾向である。
（ニ）野菜や果物は、需要量と生産量の関係で過剰生産分は廃棄されることがある。
（ホ）野菜や果物は形状によって商品価値が決まるため、形状が規格外のものは商品化しにくい。
本発明は、これらの問題点を解決するためになされたものである。
【課題を解決するための手段】
【０００４】  本発明は、天然野菜あるいは天然果物の絞り汁から抽出した色素に可食性の加粘材（アラビアゴム、タマリン、でんぷん、増粘材等）および色素の安定材（塩、砂糖、ミョウバン、重曹等）を加えることで食品や紙への定着性を良くしたたもので、喫食できる。以上を特徴とする着色料である。
【発明の効果】
【０００５】  野菜・果物の色素であるため、着色料として無害である上に、材料の栄養分も含んでいるため、安心して食品に利用することができる。
野菜・果物の種類により、色々な色彩の着色料をつくることができ、また、その色は自然で鮮やかであるため、野菜や果物への興味がわく。
着色料となっても野菜・果物の香りが残るため、食品に風味を加えることができ、絵画用に利用しても野菜や果物への興味がわく。
菓子など食品に、鮮やかで自然な多色で絵を描くことができ、食品に付加価値を加えることができる。
材料がすべて食品であるため、幼児などの玩具用えのぐとしても安全で安心である。
生産余剰分や、形状などの規格外の野菜を廃棄せず利用できるため、経済効果が望める上、廃棄物が少なくなり環境負担が小さくなる。
【発明を実施するための最良の形態】
【０００６】  以下、本発明の実施の形態について説明する。
「第１実施例」
（イ）野菜・果物の色素の多い部分をすりおろし、搾って絞り汁をつくる。
（ロ）可食性の加粘材（アラビアゴム、タマリン、でんぷん、増粘材等）および色素の安定材（塩、砂糖、ミョウバン、重曹等）を加えてよく攪拌する。
本発明は、以上の構成よりなっている。
これを保存するときは、冷蔵庫など冷暗所に置く。
野菜・果物と着色料の色との関係は、にんじん（オレンジ）、赤かぶら（赤）、紅ずいき（赤）、紅唐辛子（赤）、ピーマン（緑）みぶな（緑）緑茶（深緑）、かぼちゃ（黄）、黄パプリカ（黄）、みかんの皮（黄）、ナス（紫）、紫キャベツ（紫、水色、ピンク）、ひじき（黒）、黒豆（黒）などで、ほとんどの野菜・果物等で色素を利用することができる。
本発明の実施の形態では、野菜・果物を例に説明したが、その他の海草、豆類、花等でも同様に製造できる。
【図面の簡単な説明】
【０００７】
【図１】本発明の工程を示すフローチャート図
【図１】
2006174816.tif 000003
(57)【要約】      （修正有）【課題】草食動物に不可欠である繊維質を、その動物の必要摂取量に応じて１０％〜９５％の範囲で調整し、投与することを可能とした。  また、粉末、ゲル状及び半練状態又は自然乾燥により固形化することによって、固体の嗜好性に応じて投与可能とした。【解決手段】アップルファイバ−に含まれる果糖が自然乾燥で固形化する特性を利用する。  これにより、粉末、ゲル状及び半練状態又は、自然乾燥により固形化する等、種々の段階で最善の硬さに調整可能とする。  結果として、歯、顎、骨格等に障害を持つ固体でも容易に咀嚼可能となり、動物各々の固体が必要な繊維質量を摂取できることとする。  また、高温での熱処理を行わない為、アップルファイバ−、セルロ−スおよびヘミセルロ−ス、リグニン、牧草微粉末が持つ特性を大幅に損なう危険を回避できる。【選択図】なし【特許請求の範囲】
【請求項１】
リンゴから精製したアップルファイバ−と不水溶性繊維質であるセルロ−スおよびヘミセルロ−ス、リグニンをベ−スとし、それに、イネ科に属するティモシ−、オ−チャ−ドグラス、イタリアンライグラス、ス−ダングラス等の牧草のうち１種以上を微粉末にしたものを混合して繊維質を１０％〜９５％含有した動物用補助食品を精製する。
これを、粉末、ゲル状及び半練状態又は、自然乾燥により固形化した状態で動物に与えることを特徴とした動物用飼料。
【請求項２】
リンゴから精製したアップルファイバ−と不水溶性繊維質であるセルロ−スおよびヘミセルロ−ス、リグニンをベ−スとし、それに、イネ科に属するティモシ−、オ−チャ−ドグラス、イタリアンライグラス、ス−ダングラス等の牧草のうち１種以上を微粉末にしたものを混合して繊維質を１０％〜９５％含有した動物用補助食品を精製する。
これを、粉末、ゲル状及び半練状態又は、自然乾燥により固形化した状態で動物に与えることを特徴とした動物用毛球排出促進飼料。
【発明の詳細な説明】
【発明の詳細な説明】
【技術分野】
【０００１】  本発明は、兎、モルモット等の草食動物が体調維持に不可欠である繊維質を、固体の嗜好性等により摂取できない状態が続き繊維質不足を起因とする生命維持に重大な問題を抱えることに鑑み、牧草等で摂取できない繊維質を本発明品で摂取させることに関する。
併せて、毛づくろいを習性として行う動物がその作業で飲み込んだ体毛を高繊維質の働きにより便とともに体外に排出させる為のものに関する。
【背景技術】
【０００２】  乾燥させた一般的な動物用ドライフ−ド及びクッキ−、ビスケット等の関連商品を見るとセメント剤として数種の穀物等を使用し、高温熱処理工程を経て固形化している為、殆どの商品が高タンパク・高脂肪であり動物に悪影響が及んでいる。
また、高温熱処理工程の影響により、各種原料に変化が生じて成分破壊を引き起こすケ−スが見られる。
また、高温処理の為、必要以上の硬度に至っている商品が多く、歯、顎、骨格等に障害を持つ固体には咀嚼困難となっているケ−スも散見される。【０００３】また、繊維質の含有率も概ね３９％以下であり、それ以上のものは皆無である。【０００４】また、毛づくろいを習性として行う動物がその作業で飲み込んだ体毛が起因となる毛球症の治療及び防止策として投与されているものの多くは、動物にとって有害とされる化学物質を含有しているものか、あるいは日常的に動物が食するもの以外の食物から人工的に混合された排出促進剤及びそれを含有するフ−ドが殆んどであり、必ずしも動物に悪影響が無いとは言い切れない。
【発明が解決しようとする課題】
【０００５】  そこで本発明は、草食動物に不可欠である繊維質を、その動物の必要摂取量に応じて１０％〜９５％の範囲で調整し、投与することを可能とした。
また、本発明品は請求項１のとおり粉末、ゲル状及び半練状態又は、自然乾燥により固形化することによって、固体の嗜好性に応じて投与可能とした。
これは、本商品を構成するアップルファイバ−に含まれる果糖が自然乾燥で固形化する特性を利用した成果であると言える。
これにより、歯、顎、骨格等に障害を持つ固体でも容易に咀嚼可能となり、必要な繊維質量を摂取できることとなる。
また、高温での熱処理を行わない為、本商品を構成するアップルファイバ−、セルロ−スおよびヘミセルロ−ス、リグニン、牧草微粉末が持つ特性を大幅に損なう危険を回避できる。
【０００６】また、不水溶性繊維は、動物の体内に入っても消化されず消化器管内で水分を吸収し容積を３〜１０倍に増加させる為、動物に短時間で満足感を与えるとともに、大きい糞便を形成する源となる。
【０００７】大きい糞便は、消化器管の通過時間が短く、腸壁を刺激するばかりでなく腸の煽動運動をも活発にするため、動物に多く見られる腸内の不良ガス発生等を抑制する効果も顕著である。
【０００８】糞便の通過時間が大きく短縮されることで、発ガン性物質などの有害化学物質と腸壁との接触時間も同時に短縮されるとともに、固体の体内で形成される毛球も毛球になる前に短時間で排出されることとなる。
【課題を解決するための手段】
【０００９】  本発明のうち請求項１及び請求項２記載の発明によれば、リンゴから精製したアップルファイバ−と不水溶性繊維質であるセルロ−スおよびヘミセルロ−ス、リグニンをベ−スとし、イネ科に属するティモシ−、オ−チャ−ドグラス、イタリアンライグラス、ス−ダングラス等の牧草のうち１種以上を微粉末にしたものを混合して繊維質を１０％〜９５％含有した動物用補助食品を精製する。
これを粉末、ゲル状及び半練状態又は、自然乾燥により固形化したものを動物に投与する。
【発明を実施するための最良の形態】
【００１０】  乾燥させた一般的な動物用ドライフ−ド及びクッキ−、ビスケット等の関連商品を見るとセメント剤として数種の穀物等を使用し、高温熱処理工程を経て固形化している為、殆どの商品が高タンパク・高脂肪であり動物に悪影響が及んでいる。
また、高温熱処理工程の影響により、各種原料に変化が生じて成分破壊を引き起こすケ−スが見られる。
また、高温処理の為、必要以上の硬度に至っている商品が多く、歯、顎、骨格等に障害を持つ固体には咀嚼困難となっているケ−スが散見される。
本発明は、アップルファイバ−に含まれる果糖が自然乾燥で固形化する特性を利用し、歯、顎、骨格等に障害を持つ固体でも容易に咀嚼可能となり、必要な繊維質量を摂取できることとなる。
また、高温での熱処理を行わない為、本商品を構成するアップルファイバ−、セルロ−スおよびヘミセルロ−ス、リグニン、牧草微粉末が持つ特性を大幅に損なう危険を回避できる。
【発明の効果】
【００１１】  本発明は、兎、モルモット等の草食動物が体調維持に不可欠である繊維質を、固体の嗜好性等により摂取できない状態が続き繊維質不足を起因とする生命維持に重大な問題を抱えることを回避、牧草等で摂取できない繊維質を本発明品で摂取させることが可能となる。
併せて、毛づくろいを習性として行う動物がその作業で飲み込んだ体毛を高繊維質の働きにより便とともに体外に排出させるこが容易となる。
(57)【要約】【課題】リモコンの操作部に既存に配置されたキーのうち、特定のキーに関しては意図せずに押した場合には制御が行われない様にするリモコンを提供することを目的とする。【解決手段】多数の機能キーを備えるリモコンキーのうち、予め決められた特定キーに関しては、所定時間以上押していない限り、本来の機能を無視して電子機器制御キーロック機能を設けることを特徴とする。【選択図】図３
2006174096.tif 000002
【特許請求の範囲】
【請求項１】
押されたキーが特定キーであるか否かを判断する手段と、
特定キーでない場合には、通常のリモコン制御モードを実行する手段と、
特定キーである場合には、前記特定キーを押す行為が継続して所定時間経過しているか否かを判断する手段と、
前記特定キーを押す行為が継続して所定時間経過している場合は制御キーロックモードを解除してリモコン制御モードを実行し、経過していない場合は制御キーロックモードを解除しない手段と、
リモコン制御モードを実行する場合は赤外線信号送信部から制御信号が出力される手段と、を有するリモートコントローラ。
【発明の詳細な説明】
【技術分野】
【０００１】
本発明は、リモコンキーが意図しないで押された場合に被制御機器の誤動作を防ぐリモートコントローラ（以下、「リモコン」という。）に関する。
【背景技術】
【０００２】
最近、通常用いられているリモコンは使用者をより便利にするために多様な機能をもった多数のキーを備えており、例えばテレビジョン受信機に付随するリモコンの場合には、テレビのみならず、ＶＴＲ、ＤＶＤなどの周辺機器をも制御するキーを具備している（例えば、特許文献１参照。）。
【特許文献１】特開２００４−１５３５８７号公報
【発明の開示】
【発明が解決しようとする課題】
【０００３】
しかしながら、使用者がリモコンを用いてテレビジョンやＶＴＲを視聴するとき、特にリモコンで使用者の所望するキー以外、例えばＶＴＲの録画キー、電源オン／オフキーなどのキーを意図せず押した際には誤動作が発生するという問題点があった。
【０００４】
本発明は、リモコンの操作部に既存に配置されたキーのうち、特定のキーに関しては意図せずに押した場合には制御が行われない様にするリモコンを提供することを目的とする。
【課題を解決するための手段】
【０００５】
本発明のリモートコントローラは、
押されたキーが特定キーであるか否かを判断する手段と、
特定キーでない場合には、通常のリモコン制御モードを実行する手段と、
特定キーである場合には、前記特定キーを押す行為が継続して所定時間経過しているか否かを判断する手段と、
前記特定キーを押す行為が継続して所定時間経過している場合は制御キーロックモードを解除してリモコン制御モードを実行し、経過していない場合は制御キーロックモードを解除しない手段と、
リモコン制御モードを実行する場合は赤外線信号送信部から制御信号が出力される手段と、を有することを特徴とする。
【発明の効果】
【０００６】
本発明はリモコンの操作部に既存に配置されたキーのうち、特定のキーに関して一定時間押し続けないと動作をロックする機能を設けることにより、被制御機器の意図しない制御が発生しないという利点がある。
【発明を実施するための最良の形態】
【０００７】
以下、本発明による好ましい実施例を添付図面を参照して詳細に説明する。本発明の説明に際して、公知の機能或いは構成に対する具体的な説明は省略する。
（実施の形態１）
図１は本発明の実施の形態１におけるリモコンの正面図である。赤外線信号送信部１０８は、ＶＴＲ録画キー１０７、電源オン／オフキー１０４、チャンネル選択キー１０６、音量調節キー１０５、各種の数字キー及び機能キー１０２の操作に基づいて赤外線の信号を電子機器（図示せず）の受光部に送る。電子機器では該当動作を行う。ここでＶＴＲの録画キー１０７および電源オン／オフキー１０４を特定キーと設定しておく。特定キーは電子機器制御キーロック機能として使用される。
【０００８】
図２は本発明の実施の形態１におけるリモコンの構成を示すブロック図である。キー操作部２２０ではＶＴＲの録画キー１０７、電源オン／オフキー１０４、チャンネル選択キー１０６、音量調節キー１０５、各種の数字キー及び機能キー１０２の何れかが操作されると該当キーが操作された旨の信号を出力する。マイコン２１０は、原則としてキー操作部２２０の出力に基づいてリモコン内部の全般的な制御信号を発生する。但し、特定キーについては押している時間が所定時間経過前は、制御信号を発生しない。赤外線送信部１０８は、マイコン２１０の出力に基づいて電子機器に赤外線に変換された信号を送信する。
【０００９】
図３は本発明の実施の形態１におけるリモコンの動作を示すフローチャートである。ステップ３００では、押されたキーが特定キー入力であるか否かを判断する。ＮＯの場合には、ステップ３０１に進む。ＹＥＳの場合には、ステップ３０２に進む。ステップ３０１では、一般的リモコン制御モードを実行し、マイコン２１０から出力が赤外線信号送信部１０８に供給される。ステップ３０２では、タイマーを動作させ、ステップ３０３にて所定時間以上そのキーに対して入力があるか否かを判断する。ＹＥＳの場合には、ステップ３０４に進む。ＮＯの場合には、何もせずに終了する。ステップ３０４では、制御キーロックモードを解除し、マイコン２１０から出力が赤外線信号送信部１０８に供給される。
【産業上の利用可能性】
【００１０】
本発明のリモートコントローラは、リモコンの操作部に既存に配置されたキーのうち、特定のキーに関して一定時間押し続けない限り動作をロックする機能を設けることにより、意図しない制御が発生しないという利点を有し、複数の電子機器を制御するリモコンの分野に有用である。
【図面の簡単な説明】
【００１１】
【図１】本発明の実施の形態１におけるリモコンの正面図
【図２】本発明の実施の形態１におけるリモコンの構成を示すブロック図
【図３】本発明の実施の形態１におけるリモコンの動作を示すフローチャート
【符号の説明】
【００１２】
１０２    機能キー及び数字キー
１０４    電源入力キー
１０５    音量調節キー
１０６    チャンネル選択キー
１０７    ＶＴＲ録画キー
１０８    赤外線信号送信部
２１０    マイコン
２２０    キー操作部
【図１】
2006174096.tif 000003
【図２】
2006174096.tif 000004
【図３】
2006174096.tif 000005
(57)【要約】【課題】ＰＷＭインバータの出力電圧を高周波化しても安定に制御する手法を提案する。【解決手段】入力したスイッチング信号に応じて直流電圧源をパルス幅変調することで所定の周波数と大きさの電圧を出力する電力変換器と、サンプル周期毎に電力変換器の出力電流を検出してそれが電流指令に追従するような電圧指令を出力する電流制御器と、電力変換器の出力電圧が電圧指令通りとなるようなスイッチング信号を出力する電圧制御器からなるＰＷＭインバータにおいて、電力変換器が出力する電圧の周波数の整数値倍の逆数を電流制御器のサンプル周期とする。【選択図】図１
2006174532.tif 000002
【特許請求の範囲】
【請求項１】
入力したスイッチング信号に応じて直流電圧源をパルス幅変調することで所定の周波数と大きさの電圧を出力する電力変換器と、サンプル周期毎に該電力変換器の出力電流を検出してそれが電流指令に追従するような電圧指令を出力する電流制御器と、前記電力変換器の出力電圧が前記電圧指令通りとなるような前記スイッチング信号を出力する電圧制御器からなるＰＷＭインバータにおいて、
前記電力変換器が出力する電圧の周波数の整数値倍の逆数を前記電流制御器のサンプル周期とすることを特徴とするＰＷＭインバータ。
【請求項２】
前記整数値を６の倍数とすることを特徴とする請求項１記載のＰＷＭインバータ。
【発明の詳細な説明】
【技術分野】
【０００１】
本発明はパルス幅変調により直流電圧を交流電圧に変換するＰＷＭインバータに関するもので、特に高周波電圧を出力する際に安定に制御する手法を提案するものである。
【背景技術】
【０００２】
図２に一例としてＰＷＭインバータを示し、この図に基づいて従来技術を説明する。
電流制御器１は、電力変換器３の出力電流とその電流指令とを一定のサンプル周期で入力して、出力電流がその電流指令に追従するような電圧指令を出力する。電圧制御器２は、電圧指令を入力し電力変換器３の出力電圧が電圧指令通りとなるようなスイッチング信号を出力する。電力変換器３は、スイッチング信号を入力して、スイッチング信号に応じて直流電圧源をパルス幅変調することで所定の周波数と大きさの電圧を負荷５へ出力する。電流検出器４は、電力変換器３の出力電流を検出する。
【０００３】
【特許文献１】特開平１０−２０１２４６
【発明の開示】
【発明が解決しようとする課題】
【０００４】
図３は、従来の電流検出の一例を示す。電力変換器３の出力する電流は、周波数が高くなればなるほど電流制御器１のサンプル等の性能限界により、電流１周期間に対するサンプル数は減ってくる。出力電流を検出するサンプル周期Ｔｓが、電力変換器３の出力電圧の周波数ｆｏとは関係なく一定値であると、図３からも明らかなように、電流制御器１によってサンプルされた電流は、
・電流波形が正負において非対称となる場合がある。
・実際の電流波形よりも振幅が小さくなる場合がある。
・実際の電流波形と位相がずれる場合がある。
といった問題が生じる。このような問題は、少なくとも電流制御が不安定となる悪影響を及ぼす。
【０００５】
上記問題点を解決するために、出力電流を検出するサンプル周期Ｔｓと電力変換器３の出力電圧の周波数ｆｏとを同期化し、電流制御を安定化するＰＷＭインバータを提供することにある。
【０００６】
前述した問題点を解決するために、入力したスイッチング信号に応じて直流電圧源をパルス幅変調することで所定の周波数と大きさの電圧を出力する電力変換器と、サンプル周期毎に該電力変換器の出力電流を検出してそれが電流指令に追従するような電圧指令を出力する電流制御器と、前記電力変換器の出力電圧が前記電圧指令通りとなるような前記スイッチング信号を出力する電圧制御器からなるＰＷＭインバータにおいて、前記電力変換器が出力する電圧の周波数の整数値倍の逆数を前記電流制御器のサンプル周期とすることを特徴とする。
【０００７】
また、前記整数値を６の倍数とすることを特徴とする。
【発明の効果】
【０００８】
本発明により、高周波電圧を出力するＰＷＭインバータにおいて、正確な電流検出を行うことができる。
【発明を実施するための最良の形態】
【０００９】
ＰＷＭインバータの出力電圧が高周波となっても、検出された電流波形が正負対称で実際の出力電流波形とほぼ同じにすることができた。
【実施例１】
【００１０】
図１は、本発明の１実施例のブロック図である。
従来技術と異なるのは電流制御器１’である。本発明では、電流制御器１’は、
【００１１】
Ｔｓ＝１／（６Ｎｆｏ）                      （１）
【００１２】
となるように、電力変換器３の出力電流を検出するサンプル周期Ｔｓを決定する。ここで、Ｎは整数である。
【００１３】
図４は、本発明の電流検出の一例を示す。（１）式のＮは１、電力変換器３の出力電圧が３相の場合である。検出された電流波形は正負対象となり、大きさが同じで位相のずれもない。さらに、サンプル周期Ｔｓを出力電圧の周波数ｆｏの６Ｎ倍の逆数とすることで、各相の電流波形が正負対称で、しかも各相同じ電流位相で電流検出ができている。
【産業上の利用可能性】
【００１４】
本発明により、ＰＷＭインバータの出力電圧を高周波化しても正確な電流が検出できることから、産業上の利用の可能性は大いにある。
【図面の簡単な説明】
【００１５】
【図１】本発明の実施例を示した説明図である。
【図２】ＰＷＭインバータの従来の技術を示した説明図である。
【図３】従来の電流検出の一例を示した説明図である。
【図４】本発明の電流検出の一例を示した説明図である。
【符号の説明】
【００１６】
１、１’    電流制御器
２          電圧制御器
３          電力変換器
４          電流検出器
５          負荷
【図１】
2006174532.tif 000003
【図２】
2006174532.tif 000004
【図３】
2006174532.tif 000005
【図４】
2006174532.tif 000006
(57)【要約】    【課題】  漏れ磁束を利用してＫＥを増加させ、モータ性能を向上させ、ＫＥ増加に伴うコギングトルク増加を軽減することのできる、ロータおよびモータを提供すること。    【解決手段】  ロータ１は、ステータコア２の厚さよりも厚いマグネット３が設けられており、該ステータコア２厚さを越えた部分である張出し部５が形成されていることを、主たる構成とする。また、張出し部５とモータ軸４との間に、間隙部Ｓが形成された構成とする。【選択図】  図２
2006174539.tif 000002
【特許請求の範囲】
【請求項１】
ステータコアの厚さよりも厚いマグネットが設けられていることを特徴とする、ロータ。
【請求項２】
ステータコアの厚さよりも厚いマグネットが設けられており、該ステータコア厚さを越えた部分である張出し部が形成されていることを特徴とする、ロータ。
【請求項３】
前記張出し部とモータ軸との間には、間隙部が形成されていることを特徴とする、請求項２に記載のロータ。
【請求項４】
請求項１ないし３のいずれかに記載のロータが組み込まれてなるモータ。
【発明の詳細な説明】
【技術分野】
【０００１】
本発明はロータおよびモータに係り、特に、ＫＥ（逆起電力係数）の増加、コギングトルクの軽減の可能なロータ、およびそれを用いてなるモータに関する。
【背景技術】
【０００２】
図３は、従来のモータの要部構造を示す断面図である。図示するように従来のモータにおいては、ステータコア２２の厚さとマグネット２３の厚さは同じく形成されていた。
【０００３】
一方、モータにおけるコギングトルクの軽減を課題とした提案としては、後掲特許文献１のようなものが、従来なされている。
【０００４】
【特許文献１】特開２００３−２１９５８７号公報「アウターロータ型モータ」
【発明の開示】
【発明が解決しようとする課題】
【０００５】
さて、図３に示したような従来のモータでは、漏れ磁束を拾うことができない。漏れ磁束は、これを利用できれば、ＫＥ（逆起電力係数）を増加させることができ、モータ性能を向上させることができるものである。したがって、漏れ磁束を確実に拾うことができれば、モータ性能向上の効果を得ることができる。
【０００６】
しかしながら、ＫＥ増加は一方で、コギングトルク増加をも引き起こすことにもなる。したがって、コギングトルク増加を極力防止しつつＫＥ増加を実現できる手段が要望される。
【０００７】
本発明が解決しようとする課題は、上記従来技術の問題点を除き、漏れ磁束を利用してＫＥを増加させ、モータ性能を向上させることのできる、ロータおよびモータを提供することである。また、ＫＥ増加に伴うコギングトルク増加を軽減することのできる、ロータおよびモータを提供することである。
【課題を解決するための手段】
【０００８】
本願発明者は上記課題について検討した結果、ロータ構造中のマグネットの厚さ（長さ）を検討することによって上記課題の解決が可能であることを見出し、本発明に至った。すなわち、上記課題を解決するための手段として本願で特許請求される発明、もしくは少なくとも開示される発明は、以下のとおりである。
【０００９】
（１）  ステータコアの厚さよりも厚いマグネットが設けられていることを特徴とする、ロータ。
（２）  ステータコアの厚さよりも厚いマグネットが設けられており、該ステータコア厚さを越えた部分である張出し部が形成されていることを特徴とする、ロータ。
（３）  前記張出し部とモータ軸との間には、間隙部が形成されていることを特徴とする、（２）に記載のロータ。
（４）  （１）ないし（３）のいずれかに記載のロータが組み込まれてなるモータ。
【発明の効果】
【００１０】
本発明のロータおよびモータは上述のように構成されるため、これによれば、漏れ磁束を利用してＫＥを増加させ、モータ性能を向上させることができる。また、（２）のロータによれば、ＫＥ増加に伴うコギングトルク増加を軽減することができる。
【発明を実施するための最良の形態】
【００１１】
以下、本発明を図面により詳細に説明する。
図１は、本発明のロータの別の構成を示す断面図である。図示するように本発明ロータ１１は、ステータコア１２の厚さよりも厚いマグネット１３が設けられていることを主たる構成とする。
【００１２】
かかる構成により、本ロータ１１を備えたモータでは、該ステータコア１２の厚さよりも厚いマグネット１３が設けられていることことによって漏れ磁束が有効に拾われて利用され、ＫＥが増加し、すなわちモータ容積を変えることなく出力を増加させることができ、モータ性能向上を実現することができる。
【００１３】
図２は、本発明のロータの別の構成を示す断面図である。図示するように本発明ロータ１は、ステータコア２の厚さよりも厚いマグネット３が設けられており、該ステータコア２厚さを越えた部分である張出し部５が形成されていることを、主たる構成とする。
【００１４】
かかる構成により、本ロータ１を備えたモータでは、その張出し部５が形成されていることによって漏れ磁束が有効に拾われて利用され、ＫＥが増加し、すなわちモータ容積を変えることなく出力を増加させることができ、モータ性能向上を実現することができる。
【００１５】
図において示されるように、本ロータ１では、前記張出し部５とモータ軸４との間に、間隙部Ｓが形成された構成とすることができる。
【００１６】
かかる構成により、ＫＥ増加に伴うコギングトルクの増加を容易に軽減することができる。
【産業上の利用可能性】
【００１７】
本発明のロータおよびモータは上述のように構成されるため、これによれば、漏れ磁束を利用してＫＥを増加させ、モータ性能を向上させることができる。また、ＫＥ増加に伴うコギングトルク増加を軽減することができる。したがって、特にＦＡ、ＯＡに係る産業上、利用価値が高い発明である。
【図面の簡単な説明】
【００１８】
【図１】本発明のロータの構成を示す断面図である。
【図２】本発明のロータの別の構成を示す断面図である。
【図３】従来のモータの要部構造を示す断面図である。
【符号の説明】
【００１９】
１、１１…ロータ
２、１２…ステータコア
３、１３…マグネット
４、１４…モータ軸
５…張出し部
Ｓ…間隙部
２１…ロータ
２２…ステータコア
２３…マグネット
２４…モータ軸
【図１】
2006174539.tif 000003
【図２】
2006174539.tif 000004
【図３】
2006174539.tif 000005